(57)【要約】【課題】服薬遵守を補助できるプレススルーパックの包装体を提供する。【解決手段】  プレススルーパックの包装体は、第１挟持体２０と、第２挟持体３０とを備える。第１挟持体２０の第１挟持シート２１は、複数の第１透孔２１ａを有する。複数の第１透孔２１ａは、複数の突出部１３と各々嵌合する。第１挟持体２０の第２挟持シート２２は、複数の第２透孔２２ａを有する。複数の第２透孔２２ａは、複数の突出部１３における各開口端１３ａと対応する位置に、錠剤Ｓを各々通過可能に形成される。第２挟持体３０は、第３挟持シート３１と第４挟持シート３２とによって、第１挟持体２０を列方向Ｘ２に沿って移動可能に挟持する。複数の切離片５０は、各々、当該切離片よりストッパ部４０に近い位置に他の切離片がないときに、ストッパ部４０に当接可能に配設される。【選択図】図１
2019210023.tif 000002
【特許請求の範囲】
【請求項１】
内側に被収容物を各々収容可能な複数の突出部を有する収容シートと、前記複数の突出部における各開口端を閉塞可能に前記収容シートに装着される蓋シートとを含み、前記複数の突出部が、行方向と列方向とに、行列状に配列されているプレススルーパックを包装する、プレススルーパックの包装体であって、
前記複数の突出部と各々嵌合する複数の第１透孔を有する第１挟持シートと、前記複数の突出部における前記各開口端と対応する位置に、前記被収容物を各々通過可能に配設される複数の第２透孔を有する第２挟持シートとを含み、前記第１挟持シートと前記第２挟持シートとによって、前記プレススルーパックを挟持する第１挟持体と、
前記複数の第１透孔を前記第１挟持体の外側から覆う第３挟持シートと、前記複数の第２透孔を前記第１挟持体の外側から覆う第４挟持シートとを含み、前記第３挟持シートと前記第４挟持シートとによって、前記第１挟持体を前記列方向に沿って移動可能に挟持するとともに、前記第１挟持体の移動を規制するストッパ部を有する第２挟持体
とを備え、
前記第１挟持シート及び前記第２挟持シートの少なくとも一方は、前記複数の突出部が前記列方向に配列される間隔に対応する間隔で、前記ストッパ部に近い側から順次に切離可能に前記列方向に沿って配設される複数の切離片を有し、前記複数の切離片は、各々、当該切離片よりも前記ストッパ部に近い位置に他の切離片がないときに、前記ストッパ部に当接可能であり、
前記複数の切離片のうち前記ストッパ部に最も近い位置に配設される第１切離片は、当該切離片が前記ストッパ部に当接しているとき、前記複数の第１透孔の全てが前記第３挟持シートによって覆われる位置に配設され、前記第１切離片の次に前記ストッパ部に近い位置に配設される第２切離片は、当該切離片が前記ストッパ部に当接しているとき、前記複数の第１透孔のうち１つの行の第１透孔が前記第３挟持シートによって覆われなくなる位置に配設される、プレススルーパックの包装体。
【請求項２】
前記複数の切離片は、各々、前記複数の突出部に収容される複数の前記被収容物のうちの特定の被収容物であって、前記複数の第１透孔のうち、当該切離片が切離されたときに新たに前記第３挟持シートによって覆われなくなる１つの行の第１透孔に対応する特定の被収容物の用法用量に関する用法用量情報を表示する表示部を有する、請求項１に記載のプレススルーパックの包装体。
【請求項３】
前記第３挟持シート及び前記第４挟持シートは、前記複数の切離片のうち、次に切離すべき切離片を前記第２挟持体の外部から操作可能に配設される切欠部を有する、請求項１又は請求項２に記載のプレススルーパックの包装体。
【発明の詳細な説明】
【技術分野】
【０００１】
本発明は、プレススルーパックを包装するプレススルーパックの包装体に関し、特に、服薬遵守を補助するプレススルーパックの包装体に関するものである。
【背景技術】
【０００２】
プレススルーパックを包装するプレススルーパックの包装体として、特許文献１には、一枚の台紙から組み立てられる包装体が記載されている。特許文献１に記載の包装体においては、包装体によって包装されるプレススルーパックに錠剤が収容されており、大人にとっては簡単な操作によって、包装体に包装されているプレススルーパックから錠剤を取出せるように、包装体が形成されている。一方、幼い子供にとっては、プレススルーパックから錠剤を取出すことが困難なように、包装体が形成されている。従って、幼い子供が錠剤を誤飲することを抑制できる。
【先行技術文献】
【特許文献】
【０００３】
【特許文献１】実登第３２０６２４３号公報
【発明の概要】
【発明が解決しようとする課題】
【０００４】
しかしながら、特許文献１に記載の包装体は、例えば使用者の錯誤によって、処方された用法用量に従わずに錠剤が服用されることは防止できず、服薬遵守を補助できない。
【０００５】
本発明は上記課題に鑑みてなされたものであり、その目的は、例えば使用者の錯誤によって、処方された用法用量に従わずに錠剤が服用されることを防止でき、服薬遵守を補助できるプレススルーパックの包装体を提供することにある。
【課題を解決するための手段】
【０００６】
本願に開示する包装体は、プレススルーパックを包装する、プレススルーパックの包装体であって、第１挟持体と、第２挟持体とを備える。前記プレススルーパックは、収容シートと、蓋シートとを含む。前記収容シートは、内側に被収容物を各々収容可能な複数の突出部を有する。前記蓋シートは、前記複数の突出部における各開口端を閉塞可能に前記収容シートに装着される。前記複数の突出部は、行方向と列方向とに、行列状に配列されている。
【０００７】
前記第１挟持体は、第１挟持シートと第２挟持シートとを含み、前記第１挟持シートと前記第２挟持シートとによって、前記プレススルーパックを挟持する。前記第１挟持シートは、複数の第１透孔を有する。前記複数の第１透孔は、前記複数の突出部と各々嵌合する。前記第２挟持シートは、複数の第２透孔を有する。前記複数の第２透孔は、前記複数の突出部における前記各開口端と対応する位置に、前記被収容物を各々通過可能に形成される。
【０００８】
前記第２挟持体は、第３挟持シートと第４挟持シートとを含み、前記第３挟持シートと前記第４挟持シートとによって、前記第１挟持体を前記列方向に沿って移動可能に挟持する。前記第３挟持シートは、前記複数の第１透孔を前記第１挟持体の外側から覆う。前記第４挟持シートは、前記複数の第２透孔を前記第１挟持体の外側から覆う。また、前記第２挟持体は、ストッパ部を有する。前記ストッパ部は、前記第１挟持体の移動を規制する。
【０００９】
前記第１挟持シート及び前記第２挟持シートの少なくとも一方は、複数の切離片を有する。前記複数の切離片は、前記複数の突出部が前記列方向に配列される間隔に対応する間隔で、前記ストッパ部に近い側から順次に切離可能に前記列方向に沿って配設される。また、前記複数の切離片は、各々、当該切離片よりも前記ストッパ部に近い位置に他の切離片がないときに、前記ストッパ部に当接可能である。
【００１０】
そして、前記複数の切離片のうち前記ストッパ部に最も近い位置に配設される第１切離片は、当該切離片が前記ストッパ部に当接しているとき、前記複数の第１透孔の全てが前記第３挟持シートによって覆われる位置に配設される。また、前記第１切離片の次に前記ストッパ部に近い位置に配設される第２切離片は、当該切離片が前記ストッパ部に当接しているとき、前記複数の第１透孔のうち１つの行の第１透孔が前記第３挟持シートによって覆われなくなる位置に配設される。
【００１１】
本願に開示する包装体において、前記複数の切離片は、各々、表示部を有する。前記表示部は、前記複数の突出部に収容される複数の前記被収容物のうちの特定の被収容物の用法用量に関する用法用量情報を表示する。前記特定の被収容物は、前記複数の第１透孔のうち、当該切離片が切離されたときに新たに前記第３挟持シートによって覆われなくなる１つの行の第１透孔に対応するものである。
【００１２】
また、本願に開示する包装体において、前記第３挟持シート及び前記第４挟持シートは、切欠部を有する。前記切欠部は、前記複数の切離片のうち次に切離すべき切離片を前記第２挟持体の外部から操作可能に配設される。
【発明の効果】
【００１３】
本発明のプレススルーパックの包装体によれば、１つの切離片を切離するごとに、１つの行の突出部に対応する一単位の被収容物がプレススルーパックから取出可能となり、例えば使用者の錯誤によって、処方された用法用量に従わずに被収容物が服用されることを防止でき、服薬遵守を補助できる。
【図面の簡単な説明】
【００１４】
【図１】本発明の実施形態に係るプレススルーパックの包装体を示す平面図である。
【図２】（ａ）図１のＡ−Ａ矢視断面図である。（ｂ）図１のＢ−Ｂ矢視断面図である。
【図３】本発明の実施形態に係る第１挟持体を示す展開図である。
【図４】本発明の実施形態に係る第２挟持体を示す展開図である。
【図５】本発明の実施形態に係る第１挟持体を示す平面図である。
【図６】（ａ）第１状態における上記プレススルーパックの包装体を示す平面図である。（ｂ）第２状態における上記プレススルーパックの包装体を示す平面図である。
【図７】第３状態における上記プレススルーパックの包装体を示す平面図である。
【発明を実施するための形態】
【００１５】
以下、本発明に係る包装体に関する実施の形態について、添付の図面に基づいて詳しく説明する。なお、以下に説明する各実施形態は、本発明を実施するに好ましい具体例であるから、技術的に種々の限定がなされているが、本発明は、以下の説明において特に発明を限定する旨が明記されていない限り、この形態に限定されるものではない。
【００１６】
図１、図２を参照して、本発明の実施形態を説明する。図１は、本発明の実施形態に係るプレススルーパックの包装体を示す平面図である。図２（ａ）は、図１のＡ−Ａ矢視断面図である。図２（ｂ）は、図１のＢ−Ｂ矢視断面図である。
【００１７】
図１、図２に示すように、実施形態に係るプレススルーパックの包装体は、プレススルーパック１０を包装するものであり、第１挟持体２０と、第２挟持体３０とを備える。プレススルーパック１０は、収容シート１１と、蓋シート１２とを含む。収容シート１１は、被収容物としての錠剤Ｓを内側に各々収容可能な複数の突出部１３を有する。複数の突出部１３は、行方向Ｘ１と列方向Ｘ２とに、行列状に配列されている。蓋シート１２は、複数の突出部１３における各開口端１３ａを閉塞可能に収容シート１１に装着され、各開口端１３ａと対応する部分において破断可能である。
【００１８】
次に、図１〜図３を参照して、第１挟持体２０を説明する。図３は、本発明の実施形態に係る第１挟持体を示す展開図である。第１挟持体２０は、第１挟持シート２１と、第２挟持シート２２とを含み、第１挟持シート２１と第２挟持シート２２とによって、プレススルーパック１０を挟持する。実施形態においては、第１挟持シート２１及び第２挟持シート２２は、山折り線２３を介して連結されており、山折り線２３に対して線対称となる形状を有している。
【００１９】
また、第１挟持シート２１は、複数の第１透孔２１ａを有する。複数の第１透孔２１ａの個数は、複数の突出部１３の個数に対応している。複数の第１透孔２１ａは、図２（ａ）に示すように、複数の突出部１３と各々嵌合する。複数の突出部１３が複数の第１透孔２１ａと嵌合することによって、複数の突出部１３の少なくとも先端は第１挟持体２０の外部から視認可能である。第２挟持シート２２は、複数の第２透孔２２ａを有する。複数の第２透孔２２ａは、複数の突出部１３における各開口端１３ａと対応する位置に、錠剤Ｓを各々通過可能に配設される。
【００２０】
次に、図１、図２、図４を参照して、第２挟持体３０を説明する。図４は、本発明の実施形態に係る第２挟持体３０を示す展開図である。第２挟持体３０は、第３挟持シート３１と、第４挟持３２シートとを含み、第３挟持シート３１と第４挟持シート３２とによって、第１挟持体２０を列方向Ｘ２に沿って移動可能に挟持する。第３挟持シート３１は、複数の第１透孔２１ａを第１挟持体２０の外側から覆う。第４挟持シート３２は、複数の第２透孔２２ａを第１挟持体２０の外側から覆う。
【００２１】
図４に示すように、実施形態においては、第３挟持シート３１と第４挟持シート３２とは、山折り線３３を介して連結されており、山折り線３３に対して線対称となる形状を有している。また、第３挟持シート３１と第４挟持シート３２とは、矩形状であり、山折り線３３に交差する２辺に沿って、図４における紙面の裏側面に、少なくとも１つの粘着層４１が配設される。少なくとも１つの粘着層４１は、配設位置において、第３挟持シート３１と第４挟持シート３２とを接着する。
【００２２】
また、第３挟持シート３１には、山折り線３３に対向する辺に沿って、細長い透孔から成る少なくとも１つの被係合部３１ａが形成されている。一方、第４挟持シート３２には、山折り線３３に対向する辺に沿って、切込線３２ａによって形成される、突片状の少なくとも１つの係合部３２ｂが形成されている。少なくとも１つの被係合部３１ａに少なくとも１つの係合部３２ｂが係合されることによって、第４挟持シート３２は第３挟持シート３１に、山折り線３３において折り畳まれた状態で係止される。なお、少なくとも１つの被係合部３１ａと、少なくとも１つの係合部３２ｂとに代えて、少なくとも１つの粘着層４１を第３挟持シート３１及び第４挟持シート３２における山折り線３３に対向する各辺に沿って配設することもできる。
【００２３】
図１、図４に示すように、第２挟持体３０は、ストッパ部４０を有する。ストッパ部４０は、第１挟持体２０の移動を規制する。実施形態においては、ストッパ部４０は、第１挟持体２０を列方向Ｘ２に沿って引き抜くときの引抜方向Ｘ２１への第１挟持体２０の移動を規制する。また、ストッパ部４０は、後述するように、切欠部７０に隣接して形成される。
【００２４】
次に、図１、図３、図５〜図７を参照して、第１挟持体２０を更に詳しく説明する。図５は、本発明の実施形態に係る第１挟持体を示す平面図である。図６（ａ）は、第１状態におけるプレススルーパックの包装体を示す平面図である。図６（ｂ）は、第２状態におけるプレススルーパックの包装体を示す平面図である。図７は、第３状態におけるプレススルーパックの包装体を示す平面図である。
【００２５】
図３、図５に示すように、第１挟持シート２１及び第２挟持シート２２の少なくとも一方は、複数の切離片５０を有している。複数の切離片５０は、複数の突出部１３が列方向Ｘ２に配列される間隔Ｌ１に対応する間隔Ｌ２で、ストッパ部４０に近い側から順次に切離可能に列方向Ｘ２に沿って配設される。実施形態においては、間隔Ｌ１は一定であり、間隔Ｌ２も一定である。また、間隔Ｌ１と間隔Ｌ２とは等しい間隔である。
【００２６】
また、実施形態においては、第１挟持シート２１及び第２挟持シート２２の両方に、複数の切離片５０が互いに各々重合せ可能に形成されている。複数の切離片５０が列方向Ｘ２に沿って配設される個数は、複数の突出部１３の行数より１つ多い個数に設定されている。すなわち、実施形態においては、図５に示すように、複数の突出部１３の行数は「５」であり、列方向Ｘ２に沿って配設される複数の切離片５０の個数は「６」である。
【００２７】
複数の切離片５０は、図３に示すように、第１挟持シート２１における矩形状の本体部２１ｂと、第２挟持シート２２における矩形状の本体部２２ｂとに、ミシン目線２１ｃ、ミシン目線２２ｃを介して連結される。複数の切離片５０のうち、隣り合う２つの切離片５０は、ミシン目線２１ｃ、ミシン目線２２ｃに直交するミシン目線を介して互いに連結される。
【００２８】
図５に示すように、複数の切離片５０は、各々、当該切離片５０よりストッパ部４０に近い位置に他の切離片５０がないときに、ストッパ部４０に当接可能に配設される。実施形態においては、複数の切離片５０は、方形状であり、図１に示すように、列方向Ｘ２の２つの端部のうち、ストッパ部４０に近い側の一端部５１において、ストッパ部４０に当接可能である。
【００２９】
図６（ａ）に示すように、複数の切離片５０のうちストッパ部４０に最も近い位置に配設される第１切離片５０Ａは、当該切離片がストッパ部４０に当接しているとき、複数の第１透孔２１ａの全てが第３挟持シート３１によって覆われる位置に配設される。また、図６（ｂ）に示すように、第１切離片５０Ａの次にストッパ部４０に近い位置に配設される第２切離片５０Ｂは、当該切離片がストッパ部４０に当接しているとき、複数の第１透孔２１ａのうち１つの行の第１透孔２１ａが第３挟持シート３１によって覆われなくなる位置に配設される。
【００３０】
以上の構成によれば、図６（ａ）に示す第１状態において、第１切離片５０Ａを切離することによって、図６（ｂ）に示す第２状態のように、第１挟持体２０を第２挟持体３０から引出可能となる。第２状態においては、複数の突出部１３のうち、１つの行の第１透孔２１ａに対応する１つの行の突出部１３だけが視認可能である。視認可能な１つの行の突出部１３を各々押し潰し、蓋シート１２を対応位置で破断させることによって、錠剤Ｓは、第２透孔２２ａを介して取出可能となる。
【００３１】
また、図５に示すように、複数の切離片５０は、複数の突出部１３が列方向Ｘ２に配列される間隔Ｌ１と同じ間隔Ｌ２で列方向Ｘ２に沿って配設されている。従って、複数の切離片５０をストッパ部４０に近い位置から順次に切離することによって、複数の突出部１３を１行ずつ順次に視認可能にすることができ、錠剤Ｓを１行分ずつ順次に取出可能にすることができる。従って、１つの行の突出部１３に、１回服用分の錠剤Ｓが収容されるように、１つの行の突出部１３の個数、又は１錠あたりの成分量を調整することによって、使用者は処方された用量に従って錠剤を服用できる。
【００３２】
また、図７に示す第３状態においては、複数の切離片５０のうち、ストッパ部４０から最も離れた位置に位置する第３切離片５０Ｃだけが切離されることなく残存している。第３切離片５０Ｃよりストッパ部４０に近い他の切離片５０は、ストッパ部４０に近い側から５番目の切離片５０まで全て切離されている。そして、当該第３状態においては、当該５番目の切離片５０に対応する５行目の第１透孔２１ａが新たに第３挟持シート３１によって覆われなくなっており、引抜方向Ｘ２１の先端側から５行目の各突出部１３に対応する錠剤Ｓが取出可能になっている。
【００３３】
以上、図１〜図７を参照して説明したように、実施形態の包装体によれば、第１切離片５０Ａは、当該切離片がストッパ部４０に当接しているとき、複数の第１透孔２１ａの全てが第３挟持シート３１によって覆われる位置に配設される。また、第２切離片５０Ｂは、当該切離片がストッパ部４０に当接しているとき、複数の第１透孔２１ａのうち１つの行の第１透孔２１ａが第３挟持シート３１によって覆われない位置に配設される。複数の切離片５０は、複数の突出部１３が列方向Ｘ２に配列される間隔Ｌ１に対応する間隔Ｌ２で、ストッパ部４０に近い側から順次に切離可能に列方向Ｘ２に沿って配設される。従って、１つの切離片５０を切離するごとに、一単位の突出部１３に対応する一単位の錠剤Ｓがプレススルーパック１０から取出可能となり、例えば使用者の錯誤によって、処方された用法用量に従わずに錠剤Ｓが服用されることを防止でき、服薬遵守を補助できる。
【００３４】
次に、図１、図５を参照して、複数の切離片５０を更に詳しく説明する。複数の切離片５０は、表示部６０を各々有する。表示部６０は、複数の突出部１３に収容される複数の錠剤Ｓのうち、特定の錠剤Ｓの用法用量に関する用法用量情報を表示する。特定の錠剤Ｓとは、当該切離片が切離されたときに新たに第３挟持シート３１によって覆われなくなる１つの行の第１透孔２１ａに対応する錠剤Ｓである。
【００３５】
実施形態においては、１日１回の服用として、第１切離片５０Ａの表示部６０には、第１切離片５０Ａに対応する特定の錠剤Ｓを服用すべき日付が表示される。第１切離片５０Ａに対応する特定の錠剤Ｓは、引抜方向Ｘ２１における最先端の行の突出部１３に収容されている錠剤Ｓである。第２切離片５０Ｂの表示部６０には、第２切離片５０Ａに対応する特定の錠剤Ｓを服用すべき日付が表示される。第２切離片５０Ａに対応する特定の錠剤Ｓは、引抜方向Ｘ２１の先端側から２番目の行の突出部１３に収容されている錠剤Ｓである。以下、順次、各行の突出部１３に収容されている錠剤Ｓを服用すべき日付が、用法用量情報として各切離片５０Ａの表示部６０に表示される。
【００３６】
また、１日に複数回の服用であれば、用法用量情報は、例えば、日付と、朝、昼、晩といった時間帯とを示す情報を含んでもよく、時間帯を示す情報だけを含んでもよい。なお、用法用量情報は、用法用量が理解できるものであればよく、文字に限らず、時間帯を示すような記号、絵柄、図柄、又は色彩であってもよい。
【００３７】
以上、図１、図５を参照して説明したように、実施形態の包装体によれば、複数の切離片５０が、各々、用法用量情報を表示する表示部６０を有する。表示部６０は、当該切離片５０に対応する特定の錠剤Ｓの用法用量に関する用法用量情報を表示する。従って、使用者は、複数の切離片５０を順次に切離するとき、当該切離片に対応する特定の錠剤Ｓの用法用量を確認することができ、より確実に服薬遵守を補助できる。
【００３８】
次に、図２、図４、図６を参照して、第２挟持体３０を更に詳しく説明する。第２挟持体３０において、第３挟持シート３１及び第４挟持シート３２は、切欠部７０を有する。切欠部７０は、複数の切離片５０のうち、次に切離すべき切離片５０を第２挟持体３０の外部から操作可能に配設される。すなわち、図６（ａ）に示す第１状態においては、切欠部７０を介して、次に切離すべき第１切離片５０Ａが第２挟持体３０の外部から操作可能である。また、図６（ｂ）に示す第２状態においては、切欠部７０を介して、次に切離すべき第２切離片５０Ｂが第２挟持体３０の外部から操作可能である。
【００３９】
また、図４、図６に示すように、実施形態においては、ストッパ部４０が切欠部７０に隣接して配設される。すなわち、実施形態においては、切欠部７０は、方形状であり、列方向Ｘ２における２つの端部のうち、引抜方向Ｘ２１側の端部にストッパ部４０が形成される。より具体的には、切欠部７０に引抜方向Ｘ２１側で隣接する領域に粘着層４１が配設され、当該粘着層４１によって、第３挟持シート３１と第４挟持シート３２とが接着され、ストッパ部４０が、切欠部７０における引抜方向Ｘ２１側の端部に形成される。従って、粘着層４１によって、第３挟持シート３１と第４挟持シート３２とを接着するだけの簡易な工程によって、ストッパ部４０を形成することができる。
【００４０】
以上、図２、図４、図６を参照して説明したように、実施形態の包装体によれば、切欠部７０が、複数の切離片５０のうち、次に切離すべき切離片５０を第２挟持体３０の外部から操作可能に配設される。従って、使用者が次に切離すべき切離片５０を特定しやすくなり、使用者の錯誤を抑制でき、服薬遵守を補助できる。また、用法用量情報が表示部６０に表示されているとき、切欠部７０を介して用法用量情報を確認できる。従って、より確実に使用者の錯誤を抑制でき、より確実に服薬遵守を補助できる。
【００４１】
以上、図面（図１〜図７）を参照しながら本発明の実施形態を説明した。但し、本発明は、上記の実施形態に限られるものではなく、その要旨を逸脱しない範囲で種々の態様において実施することが可能である（例えば、下記に示す（１）〜（２））。
【００４２】
（１）図５を参照して説明したように、実施形態においては、間隔Ｌ１、間隔Ｌ２は一定であり、間隔Ｌ２は、間隔Ｌ１と等しい間隔であったが、これに限られず、間隔Ｌ２は、複数の切離片５０を順次に切離することによって、複数の第１透孔２１ａを１行ずつ順次に第３挟持シート３１によって覆われなくする間隔であればよい。
【００４３】
例えば、間隔Ｌ１が一定でなく、変化するなら、間隔Ｌ２も間隔Ｌ１の変化に対応して変化するように設定してもよい。また、複数の切離片５０を順次に切離することによって、複数の第１透孔２１ａを１行ずつ順次に第３挟持シート３１によって覆われなくする間隔であれば、間隔Ｌ１と間隔Ｌ２とは厳密に一致していなくともよい。
【００４４】
（２）図５を参照して説明したように、実施形態においては、列方向Ｘ２に沿って配列される切離片５０の個数は、複数の突出部１３における行数よりも「１」だけ多い個数に設定されたが、これに限られず、切離片５０の個数と複数の突出部１３における行数とは、例えば同数であってもよい。切離片５０の個数が、複数の突出部１３における行数と同数以上であれば、複数の突出部１３における全ての行を各切離片５０に対応付けることができ、複数の第１透孔２１ａが１行ずつ順次に第３挟持シート３１によって覆われなくなるように、第１挟持体２０の移動をストッパ部４０によって規制できる。
【符号の説明】
【００４５】
Ｌ１、Ｌ２…間隔
Ｘ２…列方向
１０…プレススルーパック
１１…収容シート
１２…蓋シート
１３…突出部
１３ａ…開口端
２０…第１挟持体
２１…第１挟持シート
２１ａ…第１透孔
２２…第２挟持シート
２２ａ…第２透孔
３０…第２挟持体
３１…第３挟持シート
３２…第４挟持シート
４０…ストッパ部
５０、５０Ａ、５０Ｂ、５０Ｃ…切離片
７０…切欠部
【図１】
2019210023.tif 000003
【図２】
2019210023.tif 000004
【図３】
2019210023.tif 000005
【図４】
2019210023.tif 000006
【図５】
2019210023.tif 000007
【図６】
2019210023.tif 000008
【図７】
2019210023.tif 000009